(57)【要約】【課題】簡易な構成によって戸首の幅を調整可能とすることにより、戸首と鴨居溝の内側の側面との間の隙間の大きさを適宜修正して、建具にガタツキが生じるのを効果的に回避できるようにする。【解決手段】建具２０の上端部に取り付けられ、鴨居溝２２にスライド可能に係止されて鴨居溝２２に案内させつつ建具２０をスライド移動させる建具用戸首金物１０であって、鴨居溝２２の内側の側面２２ａに沿って各々配置される一対の側面板５１を備え、一対の側面板５１に挟まれる中空内部には、一対の側面板５１を外側に押し出して変形させる押出し変形手段５３が設けられている。  押出し変形手段５３は、好ましくは雄ネジ部材５４を螺合させる雌ネジ孔５５と、雌ネジ孔５５の中心軸Ｚを挟んだ両側にテーパー面５６ａを対向配置して設けられると共に、一対の側面板５１に各々接合される一対のテーパー面部材５６とからなる。【選択図】図３
2007146490.tif 000002
【特許請求の範囲】
【請求項１】
建具の上端部に取り付けられ、鴨居溝にスライド可能に係止されて鴨居溝に案内させつつ建具をスライド移動させる建具用戸首金物であって、前記鴨居溝の内側の側面に沿って各々配置される一対の側面板を備え、該一対の側面板に挟まれる中空内部には、該一対の側面板を外側に押し出して変形させる押出し変形手段が設けられている建具用戸首金物。
【請求項２】
前記押出し変形手段は、雄ネジ部材を螺合させる雌ネジ孔と、該雌ネジ孔の中心軸を挟んだ両側に内側テーパー面を対向配置して設けられると共に、前記一対の側面板に各々接合される一対のテーパー面部材とからなり、前記雌ネジ孔に前記雄ネジ部材を螺合しつつ、前記雄ネジ部材のテーパー当接部を前記テーパー面部材の内側テーパー面に当接させて、前記一対のテーパー面部材の間隔を押し広げることにより、前記一対の側面板を外側に押し出して変形させる請求項１に記載の建具用戸首金物。
【請求項３】
前記雌ネジ孔の中心軸が前記建具の上端面と垂直な上下方向に設けられ、前記雄ネジ部材は、前記建具の上方から前記雌ネジ孔に螺合される請求項２に記載の建具用戸首金物。
【請求項４】
前記雌ネジ孔の中心軸が前記建具の上端面に沿った横方向に設けられ、前記雄ネジ部材は、前記建具のスライド方向前方又は後方から前記雌ネジ孔に螺合される請求項２に記載の建具用戸首金物。
【請求項５】
上端を鴨居溝に係止してスライド移動する建具に設けられる鴨居ライナーであって、前記建具の上端角部に埋設設置される、前記建具の上端面に沿った開口部を備え且つ前記建具のスライド方向前方又は後方の端面に露出する露出面を備えるライナーケースと、前記建具の幅方向に隙間を保持した状態で前記ライナーケースに挿入配置される挿入部、及び該挿入部の上端に接合されて前記建具の上端面から上方に突出する戸首部からなるライナー本体と、該ライナー本体を前記ライナーケースに対して前記建具の幅方向にスライド可能に支持する支持機構と、前記ライナー本体を前記ライナーケースに対して前記建具の幅方向にスライドさせる幅方向スライド機構とからなる鴨居ライナーの、前記戸首部として設けられる請求項１〜４のいずれかに記載の建具用戸首金物。
【発明の詳細な説明】
【技術分野】
【０００１】
本発明は、建具用戸首金物に関し、特に建具の上端部に取り付けられ、鴨居溝にスライド可能に係止されて鴨居溝に案内させつつ建具をスライド移動させる建具用戸首金物に関する。
【背景技術】
【０００２】
例えば住宅建築物の開口部の上縁部分に設けられる鴨居には、好ましくは一対の鴨居溝が形成されており、この鴨居溝に戸首をあてがって鴨居と敷居との間に引戸等の建具を建て込むことにより、鴨居溝に案内させつつ建具をスライド移動させることができるようになっている。
【０００３】
このように、従来から一般的に採用される鴨居溝と戸首とのスライド可能な係止構造では、近年の建築物の高気密化の影響により、例えばどこかの部屋で窓が開いていると、戸首と鴨居溝の内側の側面との間に残置された隙間部分を原因として、建築物の中の建具にガタツキが生じるといった現象が増えている。特に、ユニット建具の場合は、製造上の精度が不充分なために戸首と鴨居溝とが干渉して建具を開閉し難くなる不具合が生じないように、安全性を考慮して、戸首と鴨居溝との間の隙間に余裕を持たせていることから、建具がガタツキやすくなっている。
【０００４】
このようなことから、戸首と鴨居溝の内側の側面との間の隙間の大きさを適宜調整できるようにする手段の開発が望まれている。また、建具の上端面に設けられる戸首部の位置を建具の幅方向に調整可能にして、建具が鴨居溝に沿ってスムーズにスライド移動できるようにすると共に、表裏のある建具の場合でも生産性の向上や在庫管理の効率化を図ることができるようにした鴨居ライナーも開発されている（例えば、特許文献１参照）。
【特許文献１】特開２０００−４５６３６号公報
【発明の開示】
【発明が解決しようとする課題】
【０００５】
特許文献１の鴨居ライナーでは、戸首部の位置を建具の幅方向に移動調整できる一方で、戸首部の幅自体を増減できる機能を備えていないので、戸首と鴨居溝の内側の側面との間の隙間を原因として発生する建具のガタツキを効果的に解消することは難しい。また、鴨居溝の溝幅の方を増減して戸首と鴨居溝の内側の側面との間の隙間の大きさを調整できるようにすることも考えられるが、鴨居溝の構造が複雑になってコストが高くなると共に、建具の上端部に反りが生じた場合の対応が困難である。
【０００６】
本発明は、簡易な構成によって戸首の幅を調整可能とすることにより、戸首と鴨居溝の内側の側面との間の隙間の大きさを適宜修正して、建具にガタツキが生じるのを効果的に回避できるようにする建具用戸首金物を提供することを目的とする。
【課題を解決するための手段】
【０００７】
本発明は、建具の上端部に取り付けられ、鴨居溝にスライド可能に係止されて鴨居溝に案内させつつ建具をスライド移動させる建具用戸首金物であって、前記鴨居溝の内側の側面に沿って各々配置される一対の側面板を備え、該一対の側面板に挟まれる中空内部には、該一対の側面板を外側に押し出して変形させる押出し変形手段が設けられている建具用戸首金物を提供することにより、上記目的を達成したものである。
【０００８】
本発明の建具用戸首金物によれば、前記押出し変形手段は、雄ネジ部材を螺合させる雌ネジ孔と、該雌ネジ孔の中心軸を挟んだ両側に内側テーパー面を対向配置して設けられると共に、前記一対の側面板に各々接合される一対のテーパー面部材とからなり、前記雌ネジ孔に前記雄ネジ部材を螺合しつつ、前記雄ネジ部材のテーパー当接部を前記テーパー面部材の内側テーパー面に当接させて、前記一対のテーパー面部材の間隔を押し広げることにより、前記一対の側面板を外側に押し出して変形させるものであることが好ましい。
【０００９】
また、本発明の建具用戸首金物によれば、前記雌ネジ孔の中心軸が前記建具の上端面と垂直な上下方向に設けられ、前記雄ネジ部材は、前記建具の上方から前記雌ネジ孔に螺合されるようになっていることが好ましい。
【００１０】
さらに、本発明の建具用戸首金物によれば、前記雌ネジ孔の中心軸を前記建具の上端面に沿った横方向に設け、前記雄ネジ部材を、前記建具のスライド方向前方又は後方から前記雌ネジ孔に螺合するようにすることもできる。
【００１１】
さらにまた、本発明の建具用戸首金物によれば、上端を鴨居溝に係止してスライド移動する建具に設けられる鴨居ライナーであって、前記建具の上端角部に埋設設置される、前記建具の上端面に沿った開口部を備え且つ前記建具のスライド方向前方又は後方の端面に露出する露出面を備えるライナーケースと、前記建具の幅方向に隙間を保持した状態で前記ライナーケースに挿入配置される挿入部、及び該挿入部の上端に接合されて前記建具の上端面から上方に突出する戸首部からなるライナー本体と、該ライナー本体を前記ライナーケースに対して前記建具の幅方向にスライド可能に支持する支持機構と、前記ライナー本体を前記ライナーケースに対して前記建具の幅方向にスライドさせる幅方向スライド機構とからなる鴨居ライナーの、前記戸首部として設けることが好ましい。
【発明の効果】
【００１２】
本発明の建具用戸首金物によれば、簡易な構成によって戸首の幅を調整可能とすることにより、戸首と鴨居溝の内側の側面との間の隙間の大きさを適宜修正して、建具にガタツキが生じるのを効果的に回避させることができる。
【発明を実施するための最良の形態】
【００１３】
本発明の好ましい一実施形態に係る建具用戸首金物５０は、図１及び図２に示すように、建具としての間仕切戸２０の上端部において、長手方向両側の角部分に各々取り付けて用いられ（図２では片側の角部分のみ表示）、開口部の上縁部分に取り付けられる鴨居２１と下縁部分に取り付けられる敷居（図示せず）との間に間仕切戸２０を建て込んだ際に、鴨居溝２２にスライド可能に係止されて、鴨居溝２２に案内させつつ間仕切戸２０をスライド移動させるものである。
【００１４】
すなわち、本実施形態の建具用戸首金物５０は、建具としての間仕切戸２０の上端部に取り付けられ、鴨居溝２２にスライド可能に係止されて鴨居溝２２に案内させつつ間仕切戸２０をスライド移動させる戸首金物であって、鴨居溝２２の内側の側面２２ａに沿って各々配置される一対の側面板５１を備え、これらの一対の側面板５１に挟まれる中空内部５２には、一対の側面板５１を外側に押し出して変形させる押出し変形手段５３が設けられている。
【００１５】
また、本実施形態によれば、押出し変形手段５３は、図３（ａ）〜（ｃ）に示すように、雄ネジ部材５４を螺合させる雌ネジ孔５５と、雌ネジ孔５５の中心軸Ｚを挟んだ両側に内側テーパー面５６ａを対向配置して設けられ、一対の側面板５１に各々接合される一対のテーパー面部材５６とからなり、雌ネジ孔５５に雄ネジ部材５４を螺合しつつ、雄ネジ部材５４のテーパー当接部５７をテーパー面部材５６の内側テーパー面５６ａに当接させて、一対のテーパー面部材５６の間隔を押し広げることにより、一対の側面板５１を外側に押し出して変形させるようになっている。
【００１６】
さらに、本実施形態によれば、建具用戸首金物５０は、図１、図２、及び図４に示すように、上端を鴨居溝２２に係止してスライド移動する建具としての間仕切戸２０に設けられる鴨居ライナー１であって、間仕切戸２０の上端角部分に埋設設置される、間仕切戸２０の上端面２３に沿った開口部２（図４参照）を備え、且つ間仕切戸２０のスライド方向Ｘの前方又は後方の端面２４に露出する露出面３を備えるライナーケース４と、間仕切戸２０の幅方向Ｙに隙間を保持した状態（図３（ｂ）参照）でライナーケース４に挿入配置される挿入部５、及び挿入部５の上端に接合されて間仕切戸２０の上端面２３から上方に突出する戸首部６からなるライナー本体７と、このライナー本体７をライナーケース４に対して間仕切戸２０の幅方向Ｙにスライド可能に支持する支持機構８と、ライナー本体７をライナーケース４に対して間仕切戸２０の幅方向Ｙにスライドさせる幅方向スライド機構９とからなる鴨居ライナー１の、上記戸首部６として設けられている。
【００１７】
ここで、本実施形態によれば、鴨居ライナー１は、上述のように、間仕切戸２０の上端角部分に埋設設置されるライナーケース４と、戸首部６をこのライナーケース４の上方に突出させた状態で当該ライナーケース４に挿入配置されるライナー本体７と、このライナー本体７をライナーケース４に対してスライド可能に支持する支持機構８と、ライナー本体７をライナーケース４に対して間仕切戸２０の幅方向Ｙにスライドさせるスライド機構９とによって構成されている。
【００１８】
ライナーケース４は、金属製の薄板あるいは合成樹脂板からなり、下端部分がＵ字形に湾曲すると共に上面が開口するボックス型のケース部材であって、間仕切戸２０の角部分に埋設されて、その上面の開口部２が間仕切戸２０の上端面２３に開口すると共に、その一方の側面が、間仕切戸２０の側端面２４に露出する露出面３となっている。
【００１９】
また、このライナーケース４には、その露出面３に、後述する回転操作盤１３の回転操作部が表出する操作口１９が開口形成されると共に、この操作口１９の周囲には、後述する回転操作盤１３の係止突起２５が係止される多数の係止孔２６が円環状に配置されて貫通形成されている。
【００２０】
さらに、このライナーケース４の側面には、中空内部に支持軸１４を架設支持するための、架設孔２７が形成されている。
【００２１】
さらにまた、開口部２の露出面３とは反対側の縁部には、取付穴２８を備えた取付片２９が突出して延設すると共に、露出面３の下端湾曲部分には固定ネジ３１の挿入穴３０が形成され、これらの取付穴２８や挿入穴３０を介して固定ネジ３１を間仕切戸２０にねじ込むことにより、ライナーケース４を間仕切戸２０に強固に固定することができるようになっている（図３（ａ）参照）。
【００２２】
ライナー本体７は、ライナーケース４と同様に金属製の薄板あるいは合成樹脂板からなり、各種の加工手段により加工して、挿入部５と戸首部６とを一体として形成したものである。そして挿入部５は、ライナーケース４の開口幅よりも小さい厚さの中空平板状に形成され、その側面には、内部の幅止め用の縦板３４（図３（ａ）参照）を貫通するようにして設けられた嵌合孔３６が開口するとともに、この挿入部５のライナーケース４の露出面３側の端面３７には、上下方向に延長する縦溝１０が形成されている。なお、この挿入部５の縦断面の外周形状は、ライナーケース４の中空部の縦断面の内周形状と略合致する形状となっていて、ライナー本体７をライナーケース４に安定した状態で収容して、縦断面方向と垂直に交差する幅方向Ｙに容易にスライド移動させることができるようになっている。
【００２３】
ライナー本体７の戸首部６は、本実施形態の建具用戸首金物５０によって構成されるものであり、図３（ａ）〜（ｃ）にも示すように、鴨居２１に形成された鴨居溝２２の幅より小さな幅を有する（図１参照）、平面視略矩形枠状の部分である。また、戸首部６は、その長手方向のライナーケース４の露出面３とは反対側の端面に、間仕切戸２０の上端面２３のスライド方向Ｘ中央部側に向かって開口する凹嵌部１７を備えており、この凹嵌部１７には、後述する戸首部６相当高さの棒状部材１８の端部が係止されて、間仕切戸２０の上端面に沿って延設配置されることになる。
【００２４】
そして、戸首部６として用いられる本実施形態の建具用戸首金物５０は、鴨居溝２２の内側の側面２２ａに沿って各々配置される一対の側面板５１に挟まれる中空内部５２に、一対の側面板５１を外側に押し出して変形させる押出し変形手段５３を備えている。すなわち、本実施形態では、中空内部５２における凹嵌部１７側の端面壁５８と縦板３４の上部とによって挟まれる部分の中央部には、各側面板５１の内側面に一体接合されて、略半円の円弧形状を備えるテーパー面部材５６が各々内側に突出して設けられている。また一対のテーパー面部材５６は、互いに対向する内側テーパー面５６ａが形成された部分において、切欠き部５９を挟んで連続することなく切り離されている。さらに、内側テーパー面５６ａが形成された部分よりも下方の部分には、切欠き部５９を設けることなく周方向に連続一体化した円筒部６０が、テーパー面部材５６を介して一対の側面板５１から支持されて設けられている。そして、この円筒部６０の内周面には雌ネジが形成されることにより、当該円筒部６０の中空内部が雌ネジ孔５５を構成する。
【００２５】
これによって、雌ネジ孔５５の中心軸Ｚは間仕切戸２０の上端面２３と垂直な上下方向に設けられ、雄ネジ部材５４は、間仕切戸２０の上方から、テーパー面部材５６の下方の円筒部６０による雌ネジ孔５５に螺合装着されることになる。ここで、雄ネジ部材５４は、周面に雄ネジが形成された円柱ロッド形状の雄ネジ部５４ａと、雄ネジ部５４ａよりも径の大きな円盤状の頭部５４ｂとからなる。頭部５４ｂの係止溝５４ｃにドライバー等の回動工具を係止して、雌ネジ孔５５に雄ネジ部５４ａを螺合してゆくことにより、頭部５４ｂはテーパー面部材５６の内側テーパー面５６ａに当接し、テーパー当接部５７として機能する。雄ネジ部材５４を雌ネジ孔５５にさらに螺合してゆくことにより、テーパー当接部５７としての頭部５４ｂは下方に移動し、切欠き部５９の幅を広げながら一対のテーパー面部材５６の間の間隔を押し広げることになり、これによって一対の側面板５１を外側に押し出して変形させることが可能になる。
【００２６】
また、雌ネジ孔５５に螺合した雄ネジ部材５４を反対側に回転させれば、頭部５４ｂは上方に移動すると共に、テーパー面部材５６は、その弾性付勢力によって当該一対のテーパー面部材５６の間の間隔を狭めるように内側に移動するので、一対の側面板５１を外側に押し出される前の状態に容易に復帰させることが可能になる。これらによって、雄ネジ部材５４の雌ネジ孔５５への螺合量を調整することにより、一対のテーパー面部材５６の間の間隔を調整して、一対の側面板５１による戸首部６の幅を適宜調整することが可能になる。なお、本実施形態では、一対の側面板５１のテーパー面部材５６が設けられた部分の外側には、円弧状に滑らかに突出するスペーサ突部３８が設けられており、間仕切戸２０にガタツキが生じないように戸首部６の幅を調整した後においても、戸首部６と鴨居溝２２の内側の側面２２ａとの間にある程度の隙間を保持して、間仕切戸２０の開閉をスムーズに行えるようになっている。
【００２７】
そして、本実施形態によれば、図４に示すように、ライナーケース４の架設孔２７にライナー本体７の挿入部５の嵌合孔３６を位置合わせして支持軸１４を挿通すれば、これらを支持機構８として、ライナー本体７は、ライナーケース４に対して間仕切戸２０の幅方向Ｙにスライド可能に一体化することになる。
【００２８】
また、本実施形態によれば、露出面３側におけるライナーケース４とライナー本体７との間には、スライド機構９を構成する回転操作盤１１が介装配置されている。
【００２９】
すなわち、回転操作盤１１は、図５にも拡大して示すように、露出面３の内側に回転可能に配設される円筒基板１３と、この円筒基板１３の回転中心から偏心した状態でこれの後方に突出する縦溝挿入突起１２とからなる。また、円筒基板１３の前面中央部部分には、ドライバー等の回動工具と係止する回転受凹部４０を有する、回転操作部としての回転操作突起４１が突出して設けられている。さらに、回転操作突起４１の周囲には、上記露出面３の係止孔２６に係合係止する係止突起２５が、回転操作突起４１を囲む円周方向に複数突出配置されている。
【００３０】
そして、この回転操作盤１１は、回転操作突起４１をライナーケース４の露出面３の操作口１９に貫入させて回転スライド可能に支持されるとともに、回転操作盤１１の背面と挿入部５の露出面３側の端面３７との間には、図３（ａ）示すように、縦溝挿入突起１２の周囲を囲むようにして付勢力を有する波座金４２が介装していて、円筒基板１３を露出面３側に押圧し、係止突起２５を係止孔２６に係合させて、回転操作盤１１の回転を阻止することができるようになっている。なお、円筒基板１３を露出面３側に押圧付勢する手段としては、図６に示すように、円筒基板１３の背面中央部と縦溝１０との間に介在する押圧ばね４３によって構成することもできる。
【００３１】
また、本実施形態によれば、図２に示すように、間仕切戸２０のスライド方向Ｘの両端部分に配置される、鴨居ライナー１の戸首部６の凹嵌部１７にその両端を係止するようにして、断面Ｈ型の戸首部６相当高さの棒状部材１８が、間仕切戸２０の上端面にその最下端面が接するようにして取り外し可能に延長配設されている。これによって、間仕切戸２０を挟んだ両側の居室空間から間仕切戸２０の上端の隙間を介して光が漏れ出すのを、効果的に遮断することが可能になる。
【００３２】
そして、上述の構成を備える本実施形態の建具用戸首金物５０によれば、簡易な構成によって戸首部（戸首）６の幅を調整可能とすることにより、戸首部６と鴨居溝２２の内側の側面２２ａとの間の隙間の大きさを適宜修正して、建具としての間仕切戸２０にガタツキが生じるのを効果的に回避することが可能になる。すなわち、本実施形態の建具用戸首金物５０は、鴨居溝２２の内側の側面２２ａに沿って各々配置される一対の側面板５１を備え、これらに側面板５１に挟まれる中空内部５２には、一対の側面板５１を外側に押し出して変形させる、例えば雄ネジ部材５４と雌ネジ孔５５とテーパー面部材５６とからなる簡易な構成の押出し変形手段が設けられているので、例えば回動工具等を用いて雄ネジ部材５４を回転させつつ雌ネジ孔５５への螺合量を調整するといった簡単な操作によって、一対のテーパー面部材５６の間の間隔を広げたり狭めたりすることにより、一対の側面板５１による戸首部６の幅を容易に調整することが可能になり、これによって、戸首部６と鴨居溝２２の内側の側面２２ａとの間の隙間の大きさを適宜修正して、間仕切戸２０にガタツキが生じるのを効果的に回避することが可能になる。
【００３３】
また、本実施形態の建具用戸首金物５０が戸首部６として設けらた上述の構成を備える鴨居ライナー１によれば、ライナーケース４の露出面３に表出する回転受凹部４０にドライバー等の回動工具の先端を係止し、回転受凹部４０を波座金４２や押圧ばね４３の付勢力に抗して押し込むようにしつつ回転させれば、係止突起２５と係止孔２６との係合が解除されて回転操作盤１１が回転し、縦溝挿入突起１２が縦溝１０の内側面に当接しながら挿入部５を左あるいは右に押し出してゆくので、これによって容易にライナー本体７を間仕切戸２０の幅方向にスライドさせて、鴨居２１に沿って間仕切戸２０をスムースに移動させ得る位置に、戸くび部６を容易にスライド調整することができる。スライド調整した後は、回動工具を回転受凹部４０から取り外せば、波座金４２や押圧ばね４３の付勢力によって回転操作盤１１が押圧され、係止突起２５が再び係止孔２６と係合して、戸くび部６をスライド調整された位置に容易に固定保持することが可能になる。したがって、戸首部６の位置を間仕切戸２０の幅方向Ｙにスライド調整することができるので、間仕切戸２０の製作後あるいは鴨居２１への取付後に、戸首部６の位置を容易に移動調節することが可能なる。
【００３４】
なお、本発明は上記実施形態に限定されることなく種々の変更が可能である。例えば、本発明は間仕切戸に限定されることなく、住宅建築物の開口部の上縁部分に設けられる鴨居と、下縁部分に設けられる敷居との間に建て込まれるその他の種々の建具に取り付けて用いることができる。また、本発明は、上述の構成の鴨居ライナーの戸首部として設ける必要は必ずしもなく、鴨居ライナーとは別の、単独の部材として建具の上端部に取り付けて用いることもできる。さらに、一対の側面板を外側に押し出して変形させる押出し変形手段は、雄ネジ部材と雌ネジ孔とテーパー面部材とからなるものに限定されることなく、その他の種々の簡易な構成の押出し変形手段を採用することができる。
【００３５】
また、図７（ａ），（ｂ）に示すように、雄ネジ部材６１と雌ネジ孔６２とテーパー面部材６３とからなる押出し変形手段は、雌ネジ孔６３の中心軸Ｚを建具６４の上端面６５に沿った横方向に設け、雄ネジ部材６１を、建具６４のスライド方向Ｘの前方又は後方から雌ネジ孔６２に螺合するようにすることもできる。これによって、鴨居と敷居との間に建て込まれた建具６４を取り外すことなく、建具６４の側端面６６から回動工具を操作して、戸首６７の幅を調整することが可能になる。
【図面の簡単な説明】
【００３６】
【図１】本発明の好ましい一実施形態に係る建具用戸首金物による戸首部を、鴨居溝にスライド可能に係止した状態を説明する断面図である。
【図２】本発明の好ましい一実施形態に係る建具用戸首金物を戸首部として設けた鴨居ライナーの建具への取付け状態を説明する斜視図である。
【図３】本発明の好ましい一実施形態に係る建具用戸首金物を戸首部として設けた鴨居ライナーの建具への取付け状態を説明する、（ａ）は垂直縦断面図、（ｂ）は垂直横断面図、（ｃ）上面図である。
【図４】本発明の好ましい一実施形態に係る建具用戸首金物を戸首部として設けた鴨居ライナーの分解斜視図である。
【図５】鴨居ライナーの回転操作盤の一実施態様を説明する拡大斜視図である。
【図６】鴨居ライナーの回転操作盤を付勢する付勢手段の他の実施態様を説明する断面図である。
【図７】本発明の好ましい他の実施形態に係る建具用戸首金物を説明する（ａ）は斜視図、（ｂ）は断面図である。
【符号の説明】
【００３７】
１    鴨居ライナー
２    ライナーケースの開口部
３    ライナーケースの露出面
４    ライナーケース
５    挿入部
６，６７  戸首部（戸首）
７    ライナー本体
８    支持機構
９    スライド機構
２０，６４  間仕切戸（建具）
２１  鴨居
２２  鴨居溝
２２ａ  鴨居溝の内側の側面
２３，６５  間仕切戸（建具）の上端面
２４，６６  間仕切戸（建具）の側端面
５０  建具用戸首金物
５１  側面板
５２  中空内部
５３  押出し変形手段
５４，６１  雄ネジ部材
５４ａ  雄ネジ部
５４ｂ  頭部
５４ｃ  係止溝
５５，６２  雌ネジ孔
５６，６３  テーパー面部材
５６ａ  内側テーパー面
５７  テーパー当接部
５９  切欠き部
６０  円筒部
Ｘ    間仕切戸のスライド方向
Ｙ    間仕切戸の幅方向
Ｚ    雌ネジ孔の中心軸
【図１】
2007146490.tif 000003
【図２】
2007146490.tif 000004
【図３】
2007146490.tif 000005
【図４】
2007146490.tif 000006
【図５】
2007146490.tif 000007
【図６】
2007146490.tif 000008
【図７】
2007146490.tif 000009